(57)【要約】【課題】  結露回収具の上方に展張されているシートがシート止めフレームの端部に接触しても、このシートの破断を防止できるビニールハウスの結露回収装置を提供すること【解決手段】  集水口６ｃを備えた結露回収具Ａと、結露回収具Ａの左右両側に着脱自在に挿入した左右一対の断面蟻溝状のシート止めフレームＢ，Ｂとからなるビニールハウスの結露回収装置において、上記左右一対のシート止めフレームＢ，Ｂ間に上記集水口６ｃに対応してジョイントＣを配置し、当該ジョイントＣを断面蟻溝状のフレーム本体３０と、このフレーム本体３０の上部に外側に向けて湾曲させて設けたカール部３１とで構成させ、上記ジョイントＣにおけるフレーム本体３０を上記各シート止めフレームＢ，Ｂの内周側に上方から嵌合させて少なくとも上記各シート止めフレームの各端部の上側端縁Ｐ、Ｐを上記カール部３１，３１で覆わせたことを特徴とする。【選択図】  図２
2007222008.tif 000002
【特許請求の範囲】
【請求項１】
集水口を備えた結露回収具と、結露回収具の左右両側に着脱自在に挿入した左右一対の断面蟻溝状のシート止めフレームとからなるビニールハウスの結露回収装置において、上記左右一対のシート止めフレーム間に上記集水口に対応してジョイントを配置し、当該ジョイントを断面蟻溝状のフレーム本体と、このフレーム本体の上部に外側に向けて湾曲させて設けたカール部とで構成させ、上記ジョイントにおけるフレーム本体を上記各シート止めフレームの内周側に上方から嵌合させて少なくとも上記各シート止めフレームの各端部の上側端縁を上記カール部で覆わせたことを特徴とするビニールハウスの結露回収装置。
【請求項２】
ジョイントのフレーム本体が水平底部と、水平底部の前後両側から内側に傾斜して起立する一対の側壁とからなり、上記両側壁の上部に外側に向けて湾曲するカール部を設け、更に両側壁の外側面の中間に位置決めリブを設けた請求項１に記載のビニールハウスにおける結露回収装置。
【請求項３】
集水口を備えた結露回収具、結露回収具の左右両側に着脱自在に挿入した左右一対の断面蟻溝状のシート止めフレームとからなるビニールハウスの結露回収装置において、上記左右一対のシート止めフレーム間に上記集水口に対応してジョイントを配置し、当該ジョイントを断面蟻溝状のフレーム本体と、このフレーム本体の上部に内側又は外側に向けて湾曲させて設けたカール部とで構成させ、上記左右のシート止めフレームの互いに向かい合う端部を上記ジョイントにおけるフレーム本体の内周側又は外周側にそれぞれ左右方向から差込んで少なくとも上記左右シート止めフレームの各端部の上側端縁を上記カール部で覆わせたことを特徴とするビニールハウスの結露回収装置。
【請求項４】
ジョイントのフレーム本体が水平底部と、水平底部の前後両側から内側に傾斜して起立する一対の側壁とからなり、上記両側壁の上部に内側又は外側に向けて湾曲するカール部を設け、更に両側壁の外側面又は内側面の中間に位置決めリブを設けた請求項３に記載のビニールハウスにおける結露回収装置。
【発明の詳細な説明】
【技術分野】
【０００１】
本発明は、アーチパイプ等の骨組上に展張した透明又は半透明な合成樹脂シートの内面に付着した結露水又は破断個所等から侵入した雨水等を回収するビニールハウスにおける結露回収装置に関し、特に、結露回収具の上方に展張しているシートの破断を防止できるビニールハウスの結露回収装置に関する。
【背景技術】
【０００２】
一般に、アーチパイプ等の骨組上に透明なビニールシートを展張した温室たるビニールハウスではハウス内の室温や湿度がハウス外の大気より高く、又作物に水を与えてこの水が蒸発することから、ビニールシートの室内側内面に多数の結露が付着する。
【０００３】
この結露は、これを放置しておくとビニールシートの内面を流下してある重みになると土壌上に落下し、室内で作業する作業者が不快になるばかりでなく、作物の根腐れ、病気を起し、植物の育成に多大な悪影響を及ぼす。
【０００４】
そこで、この不具合を解消するため、本出願人は、例えば、特許文献１、特許文献２に開示されたような結露回収装置を開発している。
【０００５】
このビニールハウスの結露回収装置は、結露回収具と、結露回収具の左右両側に嵌合させた左右一対の断面蟻溝状のシート止めフレームとからなり、シート止めフレームは、シートを定着させる蟻溝フレームと、結露を回収する樋フレームとを有している。
【０００６】
更に、結露回収具は、本体と、本体の上側に設けたシート止めフレーム差しみ込用の第１，第２の差込溝と、第１，第２の差込溝の途中に下方に向けて設けた集水口と、集水口に接続した排水ノズルとを備え、更に、本体の左右両側と前側とに互いに連通する左右一対の樋溝と前側の樋溝とを設け、左右両側の樋溝にそれぞれ第１，第２の差込溝を連通させると共に前側の樋溝に集水口を連通させたものである。
【０００７】
この結露回収装置によれば、シート止めフレームの樋フレームを伝わる結露が上記集水口や樋溝に回収され排水ノズルを介して外部に排出されるようになっている。
【特許文献１】特許第３５９１５８２号公報（請求項，図面参照）
【特許文献２】特開２００３−１３４９４４号公報（請求項、図面参照）
【発明の開示】
【発明が解決しようとする課題】
【０００８】
上記従来の結露回収装置では、機能上特に欠陥がある分けではないが、次のような不具合の改善が望まれている。
【０００９】
即ち、結露回収具の本体には左右一対のシート止めフレームが差込まれて結合され、各シート止めフレームの端部を集水口に臨ませており、そして、各シート止めフレームの端部を集水口に臨ませる為にこれらのシート止めフレームの対向する端部間にシート止めフレームを位置決めするストッパを介在させている。
【００１０】
この為、このストッパの巾分の隙間が各シート止めフレームの端部間に発生し、その結果、この隙間の部位では各シート止めフレームの端部における上縁が露出し、シートを展張させる作業中にこのシートが上記上縁に接触したり、或いは、すでに展張されているシートが振動、風雨に起因して上記上縁に接触したりすることになる。
【００１１】
然るに、各シート止めフレームの端部は、ビニールハウスの施工現場でその都度任意に切断される場合が多く、その結果、この端部が鋭角になっていたり、バリが残ったりしており、これらの鋭角部分やバリに展張中のシートが接触して破断し、或いはすでに展張されているシートが風雨時に擦れ、長時間の使用中にこのシートが破断してしまう恐れがある。
【００１２】
そこで、本発明は、結露回収具の上方に展張されているシートがシート止めフレームの端部に接触しても、このシートの破断を防止できるビニールハウスの結露回収装置を提供することである。
【課題を解決するための手段】
【００１３】
上記の目的を達成するため、本発明の一つの手段は、集水口を備えた結露回収具と、結露回収具の左右両側に着脱自在に挿入した左右一対の断面蟻溝状のシート止めフレームとからなるビニールハウスの結露回収装置において、上記左右一対のシート止めフレーム間に上記集水口に対応してジョイントを配置し、当該ジョイントを断面蟻溝状のフレーム本体と、このフレーム本体の上部に外側に向けて湾曲させて設けたカール部とで構成させ、上記ジョイントにおけるフレーム本体を上記各シート止めフレームの内周側に上方から嵌合させて少なくとも上記各シート止めフレームの各端部の上側端縁を上記カール部で覆わせたことを特徴とする。
【００１４】
この場合、ジョイントのフレーム本体が水平底部と、水平底部の前後両側から内側に傾斜して起立する一対の側壁とからなり、上記両側壁の上部に外側に向けて湾曲するカール部を設け、更に両側壁の外側面の中間に位置決めリブを設けても良い。
【００１５】
同じく、本発明の他の手段は、集水口を備えた結露回収具と、結露回収具の左右両側に着脱自在に挿入した左右一対の断面蟻溝状のシート止めフレームとからなるビニールハウスの結露回収装置において、上記左右一対のシート止めフレーム間に上記集水口に対応してジョイントを配置し、当該ジョイントを断面蟻溝状のフレーム本体と、このフレーム本体の上部に内側又は外側に向けて湾曲させて設けたカール部とで構成させ、上記左右のシート止めフレームの互いに向かい合う端部を上記ジョイントにおけるフレーム本体の内周側又は外周側にそれぞれ左右方向から差込んで少なくとも上記左右シート止めフレームの各端部の上側端縁を上記カール部で覆わせたことを特徴とする。
【００１６】
この場合、ジョイントのフレーム本体が水平底部と、水平底部の前後両側から内側に傾斜して起立する一対の側壁とからなり、上記両側壁の上部に内側又は外側に向けて湾曲するカール部を設け、更に両側壁の外側面又は内側面の中間に位置決めリブを設けても良い。
【発明の効果】
【００１７】
本発明によれば、次の効果が得られる。
【００１８】
１）各請求項１，２，３，４の発明によれば、左右一対のシート止めフレームにおける各端部の上側端縁をカール部で覆っているから、シートを展張している作業中にこのシートが上記上側端縁に接触したり、或いは結露回収具の上側にすでに展張されているシートがビニールハウスの振動により、又は風雨によりシート止めフレームの端部上で擦れても、当該シートは湾曲したカール部上に接触するだけでシート止めフレームの端部の鋭いエッジに引掛けられるのが防止され、その結果シートの摩耗、破断を防止できる。
【００１９】
２）請求項２，４の発明によれば、位置決めリブで各シート止めフレームの浸入ストロークを規制して、シート止めフレームの端部下面が結露回収具の集水口に対応するように位置決めでき、シート止めフレームを伝わる結露水が確実に集水口に回収できる。
【発明を実施するための最良の形態】
【００２０】
以下、本発明の実施の形態を図にもとづいて説明するが、本発明に係るビニールシートの結露回収装置の基本構造は、図３の分解斜視図から分かるように、  特許文献１，２に示す従来技術と同じく、集水口６ｃを備えた結露回収具Ａと、結露回収具Ａの左右両側に着脱自在に挿入した左右一対の断面蟻溝状のシート止めフレームＢ，Ｂとからなるものである。
【００２１】
そして、本発明における第一の実施の形態では、上記左右一対のシート止めフレームＢ，Ｂ間に上記集水口６ｃに対応してジョイントＣを配置し、当該ジョイントＣを断面蟻溝状のフレーム本体３０と、このフレーム本体３０の上部に外側に向けて湾曲させて設けたカール部３１とで構成させ、上記ジョイントＣにおけるフレーム本体３０を上記各シート止めフレームＢ，Ｂの内周側に上方から嵌合させて少なくとも上記各シート止めフレームの各端部の上側端縁Ｐ、Ｐを上記カール部３１，３１で覆わせたことを特徴とするものである。
【００２２】
この場合、ジョイントＣのフレーム本体３０が水平底部３２と、水平底部３２の前後両側から内側に傾斜して起立する一対の側壁３３，３３とからなり、上記両側壁３３，３３の上部に外側に向けて湾曲するカール部３１，３１を設け、更に両側壁３３，３３の外側面の中間に位置決めリブ３５を設けている。
【００２３】
更に、本発明における他の実施の形態は、上記左右一対のシート止めフレームＢ，Ｂ間に上記集水口６ｃに対応してジョイントＣを配置し、当該ジョイントＣを断面蟻溝状のフレーム本体３０と、このフレーム本体３０の上部に内側又は外側に向けて湾曲させて設けたカール部３１，３１とで構成させ、上記左右のシート止めフレームＢ，Ｂの互いに向かい合う端部を上記ジョイントＣにおけるフレーム本体３０の内周側又は外周側にそれぞれ左右方向から差込んで少なくとも上記左右シート止めフレームの各端部の上側端縁Ｐ，Ｐを上記カール部３１，３１で覆わせたことを特徴とする。
【００２４】
この場合、ジョイントＣのフレーム本体３０が水平底部３２と、水平底部３２の前後両側から内側に傾斜して起立する一対の側壁３３，３３とからなり、上記両側壁３３，３３の上部に内側又は外側に向けて湾曲するカール部３１を設け、更に両側壁３３，３３の外側面又は内側面の中間に位置決めリブ３５を設けている。
【００２５】
ところで、上記二つの実施の形態において、両者は実質的に技術思想が同じである。
【００２６】
ただ、第一の実施の形態では、ジョイントＣを上方から左右のシート止めフレームＢ，Ｂの本体内に嵌めこむのに対して、第二の実施の形態では、逆にジョイントＣに対して左右のシート止めフレームＢ，Ｂを左右方向から差込む工程において差異がある。
【００２７】
また、第一の実施の形態では、ジョイントＣをワンタッチで装着できる効果がある。
【００２８】
ジョイントＣは、図１に拡大して示すように、フレーム本体とカール部とを有し、フレーム本体３０が水平底部３２と、水平底部３２の前後両側から内側に傾斜して起立する一対の側壁３３，３３とからなっている。
【００２９】
上記両側壁３３，３３の上部に外側に向けて湾曲するカール部３１を設け、更に両側壁３３，３３の外側面の中間に位置決めリブ３５を設けている。
【００３０】
カール部３１，３１を内側に折り曲げ、又位置決めリブ３５を両側壁３３，３３の内周側に設け、各シート止めフレームＢ，ＢをジョイントＣのフレーム本体３０の内側に差込むようにしても良い。
【００３１】
但し、この場合はフレ−ム本体３０の水平底部３２に集水口６ｃに対向する開口部を形成し、シート止めフレームＢ，Ｂを介して流れる結露水をこの開口部から集水口６ｃに流出させる。
【００３２】
シート止めフレームＢ，Ｂは、図６に示すように、地上に起立する骨組みたるアーチ状パイプ１に直交して架設され、結露回収具ＡとジョイントＣに端部が差込まれて結合されている。
【００３３】
シート止めフレームＢは、上記特許文献２に示す従来のものと同じく、開口部幅狭の第一の蟻溝フレーム２と、第一の蟻溝フレーム２の斜め下方に連設した開口部幅狭の第二の蟻溝フレーム３と、第一の蟻溝フレーム２の下側に連設した樋フレーム２Ｃとからなり、シートを定着する時、第一，第二の蟻溝フレーム２，３の一方または両方に弾性な係止線条４を嵌合させるものである。
【００３４】
但し、シート止めフレームＢは、上記特許文献１に示す従来のものと同じく、樋フレーム２Ｃと蟻溝フレーム３とで構成したものでも良い。
【００３５】
第一および第二の蟻溝フレーム２，３の一方または両方には、合成樹脂製の透明シート５が係止線条４を介して定着される。
【００３６】
第一の蟻溝フレーム２には骨組み上の屋根側に展張されたシート５の端部が定着され、第二の蟻溝フレーム３には換気用のシート５の端部が定着されている。
【００３７】
第一の蟻溝フレーム２の下側たる背面又は背面近傍には第二の蟻溝フレーム３とは逆方向に起立する断面Ｌ字状の樋フレーム２ｃが形成され、この樋フレーム２ｃが図６の状態ではシート５の内面に結露した水滴を回収、排水する樋として使用される。
【００３８】
第一および第二の蟻溝フレーム２，３は、それぞれ水平な底部２ａ，３ａと、この水平な底部２ａ，３ａの両端から、斜め内方に起立する一対の第一のシート支持片２ｂ，３ｂとからなり、第一の蟻溝フレーム２の背面又は背面近傍には上述のＬ字状に起立する樋フレーム２ｃが形成されている。
【００３９】
シート止めフレームＢは、シート展張用に使用され、シート５の内面に結露した水滴を回収、排水する結露回収装置の一部品としても利用している。
【００４０】
結露回収具Ａは、外部に開口する左右及び前側のおける外側通路６ａ，６ｂと中央の集水口６ｃを備えた結露回収具本体７と、結露回収具本体７の上部に一体に設けられた抱持部９，１０と、抱持部９，１０にそれぞれ形成されて、前記集水口６ｃに連通する中央の開口部１２とで構成されている。
【００４１】
結露回収具本体７には、通路６ａに通じるホースＤの接続部１３が、端部に一体に形成されている。
【００４２】
第一の抱持部９は、水平な底部９ａとその外端に一体に設けた彎曲した抱持片９ｂとで構成され、水平な底部９ａに中央の集水口６ｃたる開口部が形成されている。
【００４３】
第二の抱持部１０は、同じく水平な底部１０ａと、その両端に設けた一対の抱持片１０ｂとで構成され、水平な底部１０ａに集水口６ｃたる開口部が形成されている。
【００４４】
樋フレーム２ｃと第二の蟻溝フレーム３は、それぞれ結露回収具Ａの第一，第二の抱持部９，１０を介して、結露回収具本体７に差込まれ、左右の各第一の溝フレーム２，２の端部はジョイントＣのフレーム本体３０の外周に嵌合して差し込まれる。
【００４５】
この場合、樋フレーム２ｃ，２ｃと第一の蟻溝フレーム２，２との各端部間には、結露回収具Ａ側の集水口６ｃに通じる通路たる隙間が形成される。
【００４６】
即ち、第一の蟻溝フレーム２，２がジョイントＣに嵌合したとき、ジョイントＣの位置決めリブ３５ａ，３５ａにこの第一の蟻溝フレーム２，２の端部端面が当接して浸入ストロークか規制され、その結果、リブ３５の巾分の隙間が集水口６ｃに対応して形成される。
【００４７】
このことによって、ハウス使用中に上方のシート５の内面に水滴が結露され、この水滴がある重さになると、シート５の内面をつたわって、Ｌ字状の樋フレーム２ｃ内に流れ、更に、上記隙間より集水口６ｃに流出して外部に回収される。
【図面の簡単な説明】
【００４８】
【図１】本発明に係るビニールハウスの結露回収装置の一部拡大斜視図である。
【図２】本発明に係るビニールハウスの結露回収装置の斜視図である。
【図３】図２の分解斜視図である。
【図４】図２のＸ−Ｘ線縦断側面図である。
【図５】図４のＹ−Ｙ線縦断正面図である。
【図６】本発明の結露回収装置を取付けたビニールハウスの一部斜視図である。
【符号の説明】
【００４９】
Ａ  結露回収具
Ｂ  シート止めフレーム
Ｃ  ジョイント
２  第一の蟻溝フレーム
３  第二の蟻溝フレーム
６ｃ  集水口
３０  フレーム本体
３１  カール部
３２  水平底部
３３  側壁
３５  リブ
【図１】
2007222008.tif 000003
【図２】
2007222008.tif 000004
【図３】
2007222008.tif 000005
【図４】
2007222008.tif 000006
【図５】
2007222008.tif 000007
【図６】
2007222008.tif 000008